(57)【要約】【課題】ケーブルの抜けを防止するプロジェクター及び端子カバーを提供すること。【解決手段】プロジェクターは、光源装置と、光源装置から出射された光を変調する光変調装置と、光変調装置によって変調された光を投射する投射光学装置と、光源装置及び光変調装置を収容する筐体と、筐体から露出し、ケーブルが接続される端子と、筐体に取り付けられ、端子を覆うカバー部材と、カバー部材に設けられ、端子に接続されたケーブルを保持する保持部材と、を備える。【選択図】図６
2019139178.tif 000002
【特許請求の範囲】
【請求項１】
光源装置と、
前記光源装置から出射された光を変調する光変調装置と、
前記光変調装置によって変調された光を投射する投射光学装置と、
前記光源装置及び前記光変調装置を収容する筐体と、
前記筐体から露出し、ケーブルが接続される端子と、
前記筐体に取り付けられ、前記端子を覆うカバー部材と、
前記カバー部材に設けられ、前記端子に接続された前記ケーブルを保持する保持部材と、を備えることを特徴とするプロジェクター。
【請求項２】
請求項１に記載のプロジェクターにおいて、
前記保持部材は、前記端子に対向するように前記カバー部材の内部に設けられていることを特徴とするプロジェクター。
【請求項３】
請求項１又は請求項２に記載のプロジェクターにおいて、
前記保持部材は、前記端子の近傍に配置されていることを特徴とするプロジェクター。
【請求項４】
請求項１から請求項３のいずれか一項に記載のプロジェクターにおいて、
前記保持部材は、
前記カバー部材に設けられる支持部と、
前記支持部との間に介装された前記ケーブルを前記支持部とともに挟持する挟持部と、
前記支持部及び前記挟持部の一方に設けられ、前記支持部及び前記挟持部によって前記ケーブルが挟持された状態にて前記支持部及び前記挟持部の他方を係止する係止部と、を有することを特徴とするプロジェクター。
【請求項５】
プロジェクターの筐体に取り付けられる端子カバーであって、
前記筐体に取り付けられて、前記筐体に設けられた端子を覆うカバー部材と、
前記カバー部材の内部に設けられ、前記端子に接続されたケーブルを保持する保持部材と、を備えることを特徴とする端子カバー。
【発明の詳細な説明】
【技術分野】
【０００１】
本発明は、プロジェクター及び端子カバーに関する。
【背景技術】
【０００２】
従来、光源から出射された光を変調して画像情報に応じた画像を形成し、形成された画像をスクリーン等の被投射面に拡大投射するプロジェクターが知られている。このようなプロジェクターは、各種規格に準拠した複数の端子を備え、各端子に接続されるケーブルを介して外部から入力される画像情報に応じた画像を投射する構成が一般的である。
しかしながら、プロジェクターの端子にケーブルが突出した状態は見栄えが悪く、雑多な印象をユーザーに与える。これに対し、本体キャビネットに取り付けられて、端子とケーブルの一部とを覆う端子カバーを備えたプロジェクターが知られている（例えば、特許文献１参照）。
【０００３】
特許文献１に記載のプロジェクターは、下部キャビネット及び上部キャビネットにより構成された本体キャビネットと、本体キャビネットにそれぞれ取り付けられる内カバー及び端子カバーにより構成されたカバーユニットと、を備える。
内カバーは、本体キャビネットにおいて各種端子が配置されたＡＶ端子基板が設けられた左側面に装着される。内カバーが左側面に装着されると、窓部を介して各種端子が外部に露出される。
端子カバーは、内カバーを覆うようにして本体キャビネットに装着される。端子カバーが本体キャビネットに装着されると、各種端子と、端子に接続されたケーブルとが覆われる。なお、端子カバーには、ケーブルが通される開口部が形成されている。
このような端子カバーにより、端子に接続されたケーブルをユーザーから見えにくくすることができる。特に、プロジェクターが天井等に吊下げられる天吊り姿勢にて配置されている場合には、端子カバーによってプロジェクターの見栄えをよくすることができる。
【先行技術文献】
【特許文献】
【０００４】
【特許文献１】特開２０１１−１７０１１０号公報
【発明の概要】
【発明が解決しようとする課題】
【０００５】
ところで、映像端子等の端子に接続されるケーブルには、ねじ等の固定手段によって端子に固定可能なケーブル（例えばＤ−Ｓｕｂ（D-subminiature）ケーブルやＤＶＩ（Digital Visual Interface）ケーブル）だけでなく、端子に挿入されて保持されるケーブル（例えばＵＳＢ（Universal Serial Bus）ケーブルやＨＤＭＩ（High-Definition Multimedia Interface）（登録商標）ケーブル）も含まれる。端子に挿入されて保持されるケーブルは、端子から抜けやすいため、ケーブルに負荷が加わると、ケーブルが端子から意図せずに抜けてしまうことがある。
特に、上述した天吊り姿勢で利用されているプロジェクターの端子からケーブルが抜けた場合、ケーブルの再接続に手間がかかるという問題がある。
【０００６】
本発明は、上記課題の少なくとも一部を解決することを目的としたものであり、ケーブルの抜けを抑制できるプロジェクター及び端子カバーを提供することを目的の１つとする。
【課題を解決するための手段】
【０００７】
本発明の第１態様に係るプロジェクターは、光源装置と、前記光源装置から出射された光を変調する光変調装置と、前記光変調装置によって変調された光を投射する投射光学装置と、前記光源装置及び前記光変調装置を収容する筐体と、前記筐体から露出し、ケーブルが接続される端子と、前記筐体に取り付けられ、前記端子を覆うカバー部材と、前記カバー部材に設けられ、前記端子に接続された前記ケーブルを保持する保持部材と、を備えることを特徴とする。
【０００８】
このような構成によれば、端子を覆うカバー部材に設けられた保持部材によって、端子に接続されたケーブルが保持される。これによれば、端子からケーブルが抜かれる方向の負荷がケーブルに加わった場合でも端子からのケーブルの抜けを抑制できる。特に、プロジェクターが上記天吊り姿勢にて利用されている場合には、ケーブルを再接続する手間を削減できる。
また、カバー部材が端子を覆うことにより、プロジェクターの端子付近の見栄えを向上させることができる。
【０００９】
上記第１態様では、前記保持部材は、前記端子に対向するように前記カバー部材の内部に設けられていることが好ましい。
このような構成によれば、端子からケーブルが延出する方向に、保持部材を配置できる。従って、保持部材がケーブルを保持しやすくすることができ、ケーブルの抜けをより好適に抑制できる。
また、保持部材は、カバー部材の内部に設けられるので、保持部材が外部に露出して、プロジェクターの見栄えが損なわれることを抑制できる。
【００１０】
上記第１態様では、前記保持部材は、前記端子の近傍に配置されていることが好ましい。
なお、端子の近傍は、端子に接続されたケーブルのコネクター部を保持部材が把持可能な範囲とすることができる。
このような構成によれば、保持部材が、ケーブルのコネクター部を把持できるので、ケーブルをより強固に保持することができる。
【００１１】
上記第１態様では、前記保持部材は、前記カバー部材に設けられる支持部と、前記支持部との間に介装された前記ケーブルを前記支持部とともに挟持する挟持部と、前記支持部及び前記挟持部の一方に設けられ、前記支持部及び前記挟持部によって前記ケーブルが挟持された状態にて前記支持部及び前記挟持部の他方を係止する係止部と、を有することが好ましい。
このような構成によれば、保持部材は、支持部及び挟持部の間にてケーブルを挟持することにより、ケーブルを強固に保持できる。また、係止部による支持部及び挟持部の一方に対する他方の係止を解除することにより、保持部材によるケーブルの挟持を解除でき、端子からケーブルを外すことができる。
【００１２】
本発明の第２態様に係る端子カバーは、プロジェクターの筐体に取り付けられる端子カバーであって、前記筐体に取り付けられて、前記筐体に設けられた端子を覆うカバー部材と、前記カバー部材の内部に設けられ、前記端子に接続されたケーブルを保持する保持部材と、を備えることを特徴とする。
このような端子カバーがプロジェクターの筐体に取り付けられることにより、上記第１態様に係るプロジェクターと同様の効果を奏することができる。
【図面の簡単な説明】
【００１３】
【図１】本発明の一実施形態に係るプロジェクターの構成を示すブロック図。
【図２】上記実施形態における正置き姿勢でのプロジェクターを背面側上方から見た斜視図。
【図３】上記実施形態における天吊り姿勢でのプロジェクターを正面側上方から見た斜視図。
【図４】上記実施形態における筐体本体と端子カバーとを分離した状態の正置き姿勢でのプロジェクターを背面側上方から見た斜視図。
【図５】上記実施形態におけるカバー部材の内部を示す図。
【図６】上記実施形態におけるレール部材及び保持部材を示す斜視図。
【図７】上記実施形態における保持部材を示す斜視図。
【図８】上記実施形態における保持部材を示す斜視図。
【図９】上記実施形態におけるレール部材、保持部材及びケーブルを示す断面図。
【図１０】上記実施形態におけるケーブルを保持した複数の保持部材を示す模式図。
【発明を実施するための形態】
【００１４】
以下、本発明の一実施形態を図面に基づいて説明する。
［プロジェクターの概略構成］
図１は、本実施形態に係るプロジェクター１の構成を示すブロック図である。
本実施形態に係るプロジェクター１は、ＰＣ（Personal Computer）等の画像供給装置（図示省略）にケーブルを介して接続され、画像供給装置から供給される画像情報に基づく画像をスクリーン等の被投射面上に拡大投射するものである。このようなプロジェクター１は、図１に示すように、複数の端子ＴＲ、制御装置２、画像投射装置３及び外装筐体４を備える。この他、図示を省略するが、プロジェクター１を構成する電子部品に電力を供給する電源装置、及び、プロジェクター１を構成する冷却対象を冷却する冷却装置を備える。
【００１５】
［端子の構成］
端子ＴＲ（ＴＲＡ，ＴＲＢ）は、種々の通信規格に準拠した、外部機器との通信用の端子である。各端子ＴＲは、それぞれ対応するケーブルが挿抜可能に構成されている。
これら端子ＴＲＡ，ＴＲＢのうち、端子ＴＲＡは、挿入されたケーブルを固定可能な端子であり、端子ＴＲＡとしては、ケーブルに設けられたねじが固定されるねじ孔を有するＤ−Ｓｕｂ端子及びＤＶＩ端子が例示される。
端子ＴＲＢは、挿入されたケーブルが固定されない端子であり、端子ＴＲＢとしては、ＵＳＢ端子やＨＤＭＩ（登録商標）端子が例示される。
これら端子ＴＲは、接続されたケーブルを介して入力される情報（画像情報を含む）を、制御装置２に出力する。なお、図１に示す端子ＴＲＡ，ＴＲＢの数は例示的なものであり、プロジェクター１が備える端子ＴＲＡ，ＴＲＢの数は、それぞれ１に限らない。
このような端子ＴＲは、詳しくは後述するが、外装筐体４を構成する筐体本体５の背面部５Ｄ（図４参照）に、筐体本体５における背面側に露出するように設けられている。
【００１６】
［制御装置の構成］
制御装置２は、ＣＰＵ（Central Processing Unit）やメモリー等を備え、プロジェクター１全体の動作を制御する。制御装置２は、主制御部２１、入力選択部２２及び画像処理部２３を有する。
主制御部２１は、自律的に、或いは、ユーザーによる入力操作に応じて、プロジェクター１の動作を制御する。例えば、主制御部２１は、後述する光源装置３１の点灯を制御する他、ユーザーの入力操作に応じた端子ＴＲに入力される画像情報に応じた画像を画像投射装置３に形成及び投射させる。
入力選択部２２は、複数の端子ＴＲと接続されており、主制御部２１による制御の下、複数の端子ＴＲのうちユーザーによる入力操作に応じた端子ＴＲから入力される画像情報を画像処理部２３に入力させる。
画像処理部２３は、入力選択部２２から入力される画像情報を処理し、処理した画像情報に応じた画像信号を、画像投射装置３に出力する。具体的に、画像処理部２３は、ビデオメモリー（図示省略）に画像情報を展開し、展開された画像情報に対して所定の補正処理等を実施し、処理された画像情報に応じた画像信号を画像投射装置３に出力する。
【００１７】
［画像投射装置の構成］
画像投射装置３は、画像処理部２３から入力される画像信号に応じた画像を形成及び投射する。画像投射装置３は、光源装置３１、光変調装置３２及び投射光学装置３３を備える。
光源装置３１は、光を出射する。光源装置３１の構成としては、超高圧水銀ランプ等の光源ランプ及びリフレクターを備える構成や、ＬＤ（Laser Diode）及びＬＥＤ（Light Emitting Diode）等の固体光源と、固体光源から出射された光の一部の波長を変換する波長変換装置とを備える構成を例示できる。
【００１８】
光変調装置３２は、光源装置３１から出射された光を変調して上記画像信号に応じた画像を形成する。このような光変調装置３２として、透過型又は反射型の液晶パネルを採用できる他、マイクロミラーを用いたデバイス（ＤＭＤ：Digital Micromirror Device）等を採用できる。
投射光学装置３３は、光変調装置３２により形成された画像を上記被投射面に拡大投射する。投射光学装置３３は、詳しい図示を省略するが、鏡筒と、当該鏡筒内に収納される複数のレンズとを備えた組レンズとして構成されている。
【００１９】
［外装筐体の構成］
図２及び図３は、プロジェクター１の外観を示す斜視図である。具体的には、図２は、正置き姿勢でのプロジェクター１を背面側上方から見た斜視図であり、図３は、天吊り姿勢でのプロジェクター１を正面側上方から見た斜視図である。なお、正置き姿勢とは、プロジェクター１が載置面上に載置される場合の姿勢であり、後述する天面部５Ａが上方を向く姿勢である。また、天吊り姿勢とは、正置き姿勢とは上下が逆となる姿勢である。
外装筐体４は、プロジェクター１の外装を構成する筐体であり、本実施形態では合成樹脂により形成されている。外装筐体４は、図２及び図３に示すように、筐体本体５と、筐体本体５に取り付けられる端子カバー６と、を備える。
【００２０】
［筐体本体の構成］
筐体本体５は、本発明の筐体に相当し、上記した制御装置２、画像投射装置３、電源装置及び冷却装置を収容する。筐体本体５は、天面部５Ａ、底面部５Ｂ、正面部５Ｃ、背面部５Ｄ、左側面部５Ｅ及び右側面部５Ｆを有し、これらによって略直方体形状に形成されている。
なお、以下の説明では、互いに直交する＋Ｘ方向、＋Ｙ方向及び＋Ｚ方向のうち、＋Ｚ方向を、背面部５Ｄから正面部５Ｃに向かう方向とする。また、＋Ｘ方向を、左側面部５Ｅから右側面部５Ｆに向かう方向とし、＋Ｙ方向を、底面部５Ｂから天面部５Ａに向かう方向とする。また、図示を省略するが、＋Ｚ方向の反対方向を−Ｚ方向とする。−Ｘ方向及び−Ｙ方向も同様である。このように定義される＋Ｚ方向は、＋Ｙ方向側から見た場合に、上記投射光学装置３３から画像が投射される方向である。
【００２１】
正面部５Ｃは、図３に示すように、投射光学装置３３の一部を露出させる開口部５Ｃ１を有する他、筐体本体５の外部の気体を冷却気体として内部に取り込む導入口、又は、筐体本体５内を流通した気体を筐体本体５外に排出する排出口として機能する開口部５Ｃ２を有する。また、左側面部５Ｅ及び右側面部５Ｆは、図２及び図３に示すように、開口部５Ｃ２と同様の機能する開口部５Ｅ１，５Ｆ１を有する。
【００２２】
図４は、筐体本体５と端子カバー６とを分離した状態の正置き姿勢でのプロジェクター１を背面側上方から見た斜視図である。なお、図４では、複数の端子ＴＲのうち、ＨＤＭＩ端子である端子ＴＲＢにケーブルＣＡが接続された状態が図示されている。
背面部５Ｄは、図４に示すように、上記した複数の端子ＴＲ（ＴＲＡ，ＴＲＢ）をそれぞれ露出させる複数の開口部５Ｄ１を有する他、電源ケーブルが接続される電源端子ＴＥを露出させる開口部５Ｄ２を有する。換言すると、複数の端子ＴＲは、筐体本体５内に設けられた端子基板（図示省略）に配設されており、各端子ＴＲの一部は、背面部５Ｄに形成された開口部５Ｄ１を介して、筐体本体５から背面側（−Ｚ方向側）に露出している。
そして、上記複数の端子ＴＲを−Ｚ方向側から覆うように、端子カバー６が背面部５Ｄに取り付けられる。
【００２３】
［端子カバーの構成］
端子カバー６は、図２〜図４に示すように、背面部５Ｄに設けられた端子ＴＲと、端子ＴＲに接続されたケーブルＣＡのコネクター部ＣＡ１（図５参照）とを覆うように、筐体本体５に取り付けられる箱状部材である。
このような端子カバー６は、筐体本体５に取り付けられるカバー部材６１を備える他、図２〜図４では図示を省略するが、端子ＴＲに接続されたケーブルＣＡを保持する保持部材６３（図５参照）を備える。
なお、コネクター部ＣＡ１は、ケーブルＣＡにおいて端子ＴＲに接続される部位であり、ケーブルＣＡにおいてコネクター部ＣＡ１以外の部位をケーブル部ＣＡ２とする。
【００２４】
［カバー部材の構成］
カバー部材６１は、天面部６１Ａ、底面部６１Ｂ、背面部６１Ｄ、左側面部６１Ｅ及び右側面部６１Ｆを有し、正面側（＋Ｚ方向側）に開口部６１１を有する容器状に形成されている。これらのうち、天面部６１Ａ、底面部６１Ｂ、左側面部６１Ｅ及び右側面部６１Ｆは、それぞれ、筐体本体５の天面部５Ａ、底面部５Ｂ、左側面部５Ｅ及び右側面部５Ｆと略同一平面となるように配置される。また、背面部６１Ｄは、筐体本体５の背面部５Ｄと所定間隔を隔てて対向配置される。このようなカバー部材６１が、筐体本体５に取り付けられると、背面部５Ｄによって開口部６１１が閉塞され、カバー部材６１の内部には、端子ＴＲに接続されたケーブルＣＡのコネクター部ＣＡ１が収容される収容空間６１２が形成される。
【００２５】
なお、底面部６１Ｂは、図３に示すように、底面部５Ｂより−Ｙ方向側に位置している。そして、底面部６１Ｂは、略中央に開口部６１Ｂ１を有する他、底面部６１Ｂにおける左側面部６１Ｅ側の端部、及び、右側面部６１Ｆ側の端部に位置し、底面部５Ｂと略面一となる突出部６１Ｂ２を有する。このような底面部６１Ｂにより、筐体本体５の底面部５Ｂが設置面に接触したときに、設置面と底面部６１Ｂとの間には、開口部６１Ｂ１を介して外装筐体４（カバー部材６１）の外部に引き出されたケーブルＣＡが配置される空間が形成される。
【００２６】
図５は、筐体本体５に取り付けられたカバー部材６１の内部を示す図である。また、図６は、カバー部材６１の内部に設けられたレール部材６２及び保持部材６３を示す斜視図である。なお、図５及び図６では、プロジェクター１は上記した天吊り姿勢で配置されている。
天面部６１Ａの内面には、図５及び図６に示すように、＋Ｚ方向に沿う溝部６１Ａ１が形成されている他、溝部６１Ａ１を−Ｙ方向側にて覆うように、＋Ｚ方向に沿うレール部材６２が設けられている。そして、レール部材６２には、ケーブルＣＡのコネクター部ＣＡ１を保持する保持部材６３が＋Ｚ方向に沿って摺動可能に設けられている。なお、図５及び図６では、溝部６１Ａ１、レール部材６２及び保持部材６３は、それぞれ１つずつ図示されているが、これらは各端子ＴＲ（詳しくは端子ＴＲＢ）に応じて設けられている。
【００２７】
［レール部材の構成］
レール部材６２は、＋Ｚ方向における両端に位置し、天面部６１Ａの内面に固定される固定部６２１と、保持部材６３を支持するとともに、保持部材６３の＋Ｚ方向に沿う移動を案内するガイド部６２２と、を有する。
ガイド部６２２における−Ｙ方向側の面は略平坦であるものの、ガイド部６２２における＋Ｙ方向側の面には、＋Ｙ方向側（天面部６１Ａの内面側）に突出する鋸歯状の複数の歯６２３が形成されている。複数の歯６２３は、保持部材６３のロック部６３２と噛合して、保持部材６３の−Ｚ方向側への移動を規制する。
【００２８】
［保持部材の構成］
保持部材６３は、端子ＴＲＢに対向するようにカバー部材６１の内部に設けられ、端子ＴＲＢに接続されたケーブルＣＡのコネクター部ＣＡ１を保持する。保持部材６３は、ガイド部６２２に支持されるとともに、ガイド部６２２によって摺動が案内され、端子ＴＲＢの近傍で、かつ、端子ＴＲＢに対して背面部５Ｄの法線方向上に配置される。このような保持部材６３が配置される位置は、端子ＴＲＢの近傍の位置、すなわち、ケーブルＣＡによって軸方向（端子ＴＲへの挿入方向）の長さが異なるコネクター部ＣＡ１を保持部材６３が保持可能な範囲内の位置である。
【００２９】
図７及び図８は、−Ｚ方向側及び＋Ｚ方向側から見た保持部材６３を示す斜視図である。なお、図７及び図８において示す各方向は、プロジェクター１における保持部材６３の配置を基準としている。
このような保持部材６３は、図６〜図８に示すように、支持部６３１、ロック部６３２、挟持部６３３、ヒンジ部６３４、配置部６３５及び係止部６３６を有する。
支持部６３１は、ガイド部６２２（図６）によって支持される部位であり、保持部材６３における＋Ｙ方向側の部位に位置する。支持部６３１は、ガイド部６２２が挿通する孔部６３１１を有し、孔部６３１１にガイド部６２２が挿通されることによって、保持部材６３は、ガイド部６２２によって支持されるとともに、ガイド部６２２に沿って＋Ｚ方向に沿ってスライド可能となる。
なお、支持部６３１における＋Ｙ方向側の端部は、溝部６１Ａ１内に配置される。
【００３０】
ロック部６３２は、ガイド部６２２の歯６２３と噛合して、端子ＴＲＢからケーブルＣＡが引き抜かれる方向である−Ｚ方向への保持部材６３のスライドを規制する。ロック部６３２は、孔部６３１１における＋Ｙ方向側の内側端縁から−Ｚ方向で−Ｙ方向側に延出しており、先端部が＋Ｙ方向に弾性変形可能に形成されている。
なお、ロック部６３２による保持部材６３のスライド規制については、後に詳述する。
【００３１】
挟持部６３３は、支持部６３１における＋Ｘ方向側の端部に設けられたヒンジ部６３４を介して支持部６３１と接続されている。挟持部６３３は、ヒンジ部６３４を中心として±Ｙ方向に回動可能であり、−Ｙ方向側に回動されることによって−Ｘ方向側の端部が支持部６３１から離間し、＋Ｙ方向側に回動されることによって−Ｘ方向側の端部が支持部６３１と当接する。
【００３２】
ここで、図７及び図８に示すように、支持部６３１は、保持部材６３が保持するケーブルＣＡのコネクター部ＣＡ１における＋Ｙ方向側の部位の形状に応じた凹部６３１２を有する。また、挟持部６３３は、コネクター部ＣＡ１における−Ｙ方向側の部位の形状に応じた凹部６３３１を有する。そして、支持部６３１及び挟持部６３３が組み合わされることによって、保持部材６３は、コネクター部ＣＡ１における−Ｚ方向側の端部（被保持部）に応じた有底筒状となり、各凹部６３１２，６３３１によって、被保持部に応じた配置部６３５が形成される。
そして、挟持部６３３が、支持部６３１とともにコネクター部ＣＡ１を挟持することによって、コネクター部ＣＡ１は、保持部材６３に保持される。
この状態では、コネクター部ＣＡ１から延出するケーブル部ＣＡ２は、配置部６３５を−Ｚ方向側に挿通して保持部材６３の外部に延出する。
【００３３】
なお、＋Ｚ方向側から見た場合の凹部６３１２，６３３１の形状、すなわち、配置部６３５の形状は、複数種類のケーブルＣＡのコネクター部ＣＡ１の形状に応じて設定されている。具体的に、配置部６３５の形状は、扁平な矩形形状であるＨＤＭＩケーブルのコネクター部の形状に合わせて設定されているだけでなく、略正方形状であるＵＳＢケーブルのコネクター部の形状に合わせて設定されている。
このため、＋Ｚ方向側から見て配置部６３５の形状は、図８に示されるように、＋Ｘ方向に長い長方形状と正方形状とが組み合わされた形状であり、配置部６３５の±Ｘ方向における両端側の部位より、＋Ｘ方向における中央の部位の方が、＋Ｙ方向に沿う寸法が大きくなっている。
このような形状に配置部６３５が設定されていることにより、保持部材６３は、ＨＤＭＩ端子のコネクター部だけでなく、ＵＳＢ端子のコネクター部も保持可能である。
【００３４】
係止部６３６は、支持部６３１における−Ｘ方向側の端部に位置し、支持部６３１及び挟持部６３３がコネクター部ＣＡ１を挟持した状態にて挟持部６３３を係止する。すなわち、係止部６３６は、支持部６３１及び挟持部６３３の一方である支持部６３１に設けられ、他方である挟持部６３３を係止する。
このような係止部６３６は、鉤状部６３６１及び解除部６３６２を有する。
【００３５】
鉤状部６３６１は、挟持部６３３に挿入されることによって、挟持部６３３の−Ｙ方向側への回動を規制する。これにより、支持部６３１及び挟持部６３３によってコネクター部ＣＡ１が挟持された状態、すなわち、保持部材６３によってケーブルＣＡが保持された状態が維持される。
解除部６３６２は、ユーザーによって操作される部位であり、−Ｘ方向側に押圧されると、−Ｘ方向側に係止部６３６を弾性変形させて、鉤状部６３６１を挟持部６３３から離間させる。これにより、−Ｙ方向側への挟持部６３３の回動が可能となり、保持部材６３によるケーブルＣＡの保持が解除されて、ケーブルＣＡが解放される。
【００３６】
図９は、ケーブルＣＡを保持した保持部材６３と、保持部材６３が取り付けられたレール部材６２とのＹＺ平面に沿う断面を示す図である。なお、図９においては、見易さを考慮して、歯６２３が有する傾斜面６２３１及び規制面６２３２の一部についてのみ符号を付す。
ここで、図９に示すように、ガイド部６２２に形成された各歯６２３は、＋Ｚ方向側の端部が＋Ｙ方向側に位置するようにＸＺ平面に対して傾斜した傾斜面６２３１と、傾斜面６２３１における＋Ｚ方向側の端部から−Ｙ方向側に延出して、ＸＺ平面に対して垂直な規制面６２３２と、を有する。
これに対し、ロック部６３２は、上記孔部６３１１における＋Ｙ方向側の内側端縁から傾斜面６２３１と当接する程度に傾斜面６２３１と略平行に延出する傾斜部６３２１と、傾斜部６３２１における延出方向先端部近傍に位置し、ＸＹ平面と平行な当接面６３２２と、傾斜部６３２１における延出方向先端部から更に−Ｚ方向と略平行に延出する延出部６３２３と、を有する。
【００３７】
そして、当接面６３２２が規制面６２３２と当接すると、保持部材６３は、−Ｚ方向側へのスライドが規制される。なお、傾斜部６３２１は、＋Ｙ方向側への弾性変形が可能である。このため、ロック部６３２を＋Ｙ方向側に変位させることによって、当接面６３２２と規制面６２３２との当接状態が解除され、−Ｚ方向側への保持部材６３のスライドが可能となる。
一方、保持部材６３の＋Ｚ方向側（すなわち、背面部５Ｄ側）へのスライド時には、傾斜面６２３１に沿って傾斜部６３２１が＋Ｙ方向側に変位して、当接面６３２２と規制面６２３２とは当接しない。このことから、保持部材６３を＋Ｚ方向側に容易にスライドさせることが可能である。
【００３８】
なお、保持部材６３によってコネクター部ＣＡ１が保持されたケーブルＣＡのケーブル部ＣＡ２を−Ｚ方向側に引っ張る等して、ケーブルＣＡを−Ｚ方向側に移動させようとしても、各凹部６３１２，６３３１における−Ｚ方向側の側面６３１３，６３３２（すなわち、配置部６３５における−Ｚ方向側の底部）にコネクター部ＣＡ１における−Ｚ方向側の端部が当接する。このため、コネクター部ＣＡ１の−Ｚ方向側への移動が規制される。
【００３９】
［保持部材の複数配置］
図１０は、それぞれ端子ＴＲＢに接続されたケーブルＣＡ（ＣＡＡ，ＣＡＢ）を保持する複数の保持部材６３を示す模式図である。
上記のように、保持部材６３は、端子ＴＲＢに応じて設けられているため、端子ＴＲＢが筐体本体５に複数設けられている場合には、保持部材６３も複数設けられる。
例えば図１０に示すように、端子ＴＲＢが２つ設けられている場合には、保持部材６３も２つ設けられ、それぞれの保持部材６３は、対応する端子ＴＲＢに接続されたケーブルＣＡ（ＣＡＡ，ＣＡＢ）のコネクター部ＣＡ１を保持する。
この際、保持部材６３は、上記ガイド部６２２に沿って端子ＴＲＢからのケーブルＣＡの延出方向である−Ｚ方向に沿ってスライド可能である。このため、端子ＴＲＢに接続されたケーブルＣＡのコネクター部ＣＡ１に応じた位置に保持部材６３をスライドさせて、保持部材６３によってコネクター部ＣＡ１を保持できる。
【００４０】
［実施形態の効果］
以上説明した本実施形態に係るプロジェクター１によれば、以下の効果を奏することができる。
プロジェクター１は、光源装置３１、光変調装置３２及び投射光学装置３３を備える。この他、プロジェクター１は、光源装置３１及び光変調装置３２を収容する筐体としての筐体本体５と、筐体本体５の背面部５Ｄから露出して、ケーブルＣＡが接続される端子ＴＲ（ＴＲＢ）と、筐体本体５に取り付けられ、端子ＴＲＢを覆うカバー部材６１と、を備える。カバー部材６１には、端子ＴＲＢに接続されたケーブルＣＡを保持する保持部材６３が設けられている。これによれば、端子ＴＲＢからケーブルＣＡが抜ける方向である−Ｚ方向への負荷がケーブルＣＡに加わった場合でも、端子ＴＲＢからのケーブルＣＡの抜けを抑制できる。このような効果は、プロジェクター１が天吊り姿勢にて利用されている場合にケーブルＣＡの抜けに伴う再接続の手間を削減できるので、特に有効である。
また、カバー部材６１が端子ＴＲ及びケーブルＣＡのコネクター部ＣＡ１を覆うことにより、プロジェクター１の見栄えを向上させることができる。
【００４１】
保持部材６３は、端子ＴＲＢに対向するようにカバー部材６１の内部に設けられている。詳述すると、保持部材６３は、天面部５Ａの内面において、対応する端子ＴＲＢに対して、端子ＴＲＢと接続されるケーブルＣＡの延出方向に設けられている。これによれば、端子ＴＲＢからケーブルＣＡが延出する方向に保持部材６３を配置できる。従って、保持部材６３がケーブルＣＡを保持しやすくすることができ、ケーブルＣＡの抜けをより好適に抑制できる。また、保持部材６３は、カバー部材６１の内部に設けられるので、保持部材６３が筐体本体５の外部に露出して、プロジェクター１の見栄えが損なわれることを抑制できる。
【００４２】
保持部材６３は、端子ＴＲＢの近傍に配置されている。これによれば、保持部材６３は、ケーブルＣＡのコネクター部ＣＡ１を把持することにより、ケーブル部ＣＡ２を把持する場合に比べて、ケーブルＣＡをより強固に保持することができる。
【００４３】
保持部材６３は、カバー部材６１のレール部材６２（ガイド部６２２）に設けられる支持部６３１と、支持部６３１との間に介装されたケーブルＣＡを支持部６３１とともに挟持する挟持部６３３と、支持部６３１に設けられ、支持部６３１及び挟持部６３３によってケーブルＣＡの延出方向に交差する＋Ｙ方向においてコネクター部ＣＡ１が挟持された状態にて挟持部６３３を係止する係止部６３６と、を有する。これによれば、支持部６３１及び挟持部６３３によってケーブルＣＡが挟持されることにより、保持部材６３がケーブルＣＡを強固に保持できる。また、係止部６３６による挟持部６３３の係止を解除することにより、保持部材６３に対するケーブルＣＡの脱着が可能になる。
【００４４】
［実施形態の変形］
本発明は、上記実施形態に限定されるものではなく、本発明の目的を達成できる範囲での変形、改良等は本発明に含まれるものである。
上記実施形態では、カバー部材６１がレール部材６２を備え、保持部材６３は、レール部材６２のガイド部６２２によって、＋Ｚ方向に沿って移動可能に支持されるとした。しかしながら、これに限らず、保持部材６３は、カバー部材６１に固定されていてもよい。すなわち、保持部材６３は、必ずしもカバー部材６１内を移動可能に構成されていなくてもよい。一方、保持部材６３は、端子ＴＲＢに接続されたケーブルＣＡ（コネクター部ＣＡ１）の延出方向に沿って移動可能としたが、ケーブルＣＡの延出方向だけでなく、延出方向に直交する方向（例えば＋Ｘ方向）に沿って移動可能に構成されていてもよい。この場合、全ての端子ＴＲＢにケーブルＣＡが接続されない状態において、カバー部材６１に設けられる保持部材６３の数を削減できる。
【００４５】
上記実施形態では、保持部材６３は、ケーブルＣＡのコネクター部ＣＡ１を保持するとした。しかしながら、これに限らず、本発明において、保持部材は、ケーブルＣＡのケーブル部ＣＡ２を保持してもよく、コネクター部ＣＡ１及びケーブル部ＣＡ２のそれぞれを保持する構成としてもよい。
上記実施形態では、保持部材６３は、複数種類のケーブルを保持可能に構成されているとした。しかしながら、これに限らず、保持部材は、１種類のケーブルのみ保持可能に構成されていてもよい。
【００４６】
上記実施形態では、保持部材６３は、カバー部材６１の内部に設けられているとした。しかしながら、これに限らず、保持部材６３は、カバー部材６１の外部に設けられていてもよい。例えば、保持部材６３は、カバー部材６１においてケーブルＣＡが挿通される開口部６１Ｂ１が形成された底面部６１Ｂの外面に配置され、ケーブルＣＡのケーブル部ＣＡ２を保持する構成としてもよい。
また、保持部材６３がカバー部材６１の内部に設けられる場合でも、保持部材６３の配置位置はどこでもよい。例えば、保持部材６３は、底面部６１Ｂの内面に設けられていてもよく、左側面部６１Ｅの内面又は右側面部６１Ｆの内面に設けられていてもよい。保持部材６３がカバー部材６１に固定される場合でも同様である。
【００４７】
上記実施形態では、保持部材６３は、対応する端子ＴＲＢと対向するように設けられているとした。しかしながら、これに限らず、保持部材６３は、端子ＴＲに接続されたケーブルＣＡを保持して、ケーブルＣＡの端子ＴＲからの抜けを抑制できれば、対応する端子ＴＲＢと対向しない位置に配置されていてもよい。同様に、保持部材６３は、端子ＴＲ（ＴＲＢ）の近傍に配置されるとしたが、保持部材６３は、端子ＴＲから遠い位置に配置され、ケーブルＣＡを保持してもよい。
【００４８】
上記実施形態では、係止部６３６は、支持部６３１に設けられ、支持部６３１とともにケーブルＣＡを挟持する挟持部６３３を係止するとした。しかしながら、これに限らず、係止部６３６は、挟持部６３３に設けられ、挟持部６３３と支持部６３１とがケーブルＣＡを挟持した状態にて、支持部６３１を係止する構成としてもよい。
また、例えば付勢部材等によって、挟持部が支持部とともにケーブルＣＡを保持した状態を維持できれば、係止部はなくてもよい。
【００４９】
上記実施形態では、保持部材６３は、ケーブルＣＡのコネクター部ＣＡ１を支持部６３１及び挟持部６３３によって挟持する構成とした。しかしながら、これに限らず、例えば保持部材６３は、コネクター部ＣＡ１又はケーブル部ＣＡ２が挿通するスリットを有する筒状部材であってもよい。すなわち、保持部材によるケーブルの保持態様は、どのような態様であってもよい。
【００５０】
上記実施形態では、保持部材６３は、ねじ等の固定手段が設けられていないケーブル（例えばＵＳＢケーブルやＨＤＭＩ（登録商標）ケーブル）が接続される端子ＴＲＢに応じて設けられ、端子ＴＲＢに挿入されて接続されたケーブルＣＡを保持するものとした。しかしながら、これに限らず、保持部材６３は、上記固定手段が設けられたケーブル（例えばＤ−ＳｕｂケーブルやＤＶＩケーブル）が接続される端子ＴＲＡに応じて設けられ、このようなケーブルを補助的に保持してもよい。また、保持部材６３は、映像端子である端子ＴＲに接続されるケーブルを保持するものとして用いられることに限定されず、例えば電源端子ＴＥに接続される電源ケーブルを保持するものとして、保持部材６３を設けてもよい。
【符号の説明】
【００５１】
１…プロジェクター、３１…光源装置、３２…光変調装置、３３…投射光学装置、４…外装筐体、５…筐体本体（筐体）、５Ａ…天面部、５Ｄ…背面部、６…端子カバー、６１…カバー部材、６１Ａ…天面部、６１Ａ１…溝部、６１Ｂ…底面部、６１Ｂ１…開口部、６１Ｄ…背面部、６２…レール部材、６２１…固定部、６２２…ガイド部、６２３…歯、６３…保持部材、６３１…支持部、６３１１…孔部、６３２…ロック部、６３３…挟持部、６３４…ヒンジ部、６３５…配置部、６３６…係止部、６３６２…解除部、ＣＡ（ＣＡＡ，ＣＡＢ）…ケーブル、ＣＡ１…コネクター部、ＣＡ２…ケーブル部、ＴＥ…電源端子、ＴＲ（ＴＲＡ，ＴＲＢ）…端子。
【図１】
2019139178.tif 000003
【図２】
2019139178.tif 000004
【図３】
2019139178.tif 000005
【図４】
2019139178.tif 000006
【図５】
2019139178.tif 000007
【図６】
2019139178.tif 000008
【図７】
2019139178.tif 000009
【図８】
2019139178.tif 000010
【図９】
2019139178.tif 000011
【図１０】
2019139178.tif 000012